(57)【特許請求の範囲】
【請求項１】
回動操作されるメインレバー３０と、被駆動部材ＣＶに連結されたケーブル１７ａを回動操作により牽引するサブレバー４０とをケース部材２０内に保持するハンドレバー装置１０であって、
前記メインレバー３０は、制動摩擦体３０ｃを備えると共に、前記サブレバー４０は、扇形摩擦部４０ｃを備え、前記制動摩擦体３０ｃを前記扇形摩擦部４０ｃの周端部４０ｃ1に押圧することで、前記サブレバー４０の回動を規制して位置保持し、
前記ケース部材２０は、右側カバーケース２１、中間ケース２２、及び、左側カバーケース２３から成る着脱可能な三分割構造であり、前記左側カバーケース２３と前記中間ケース２２との間に前記メインレバー３０と前記サブレバー４０とを回動可能に保持し、前記右側カバーケース２１と前記中間ケース２２との間にハンドル７を挟持固定することを特徴とするハンドレバー装置。
【請求項２】
前記メインレバー３０と前記サブレバー４０とは、同一方向に回動操作されることを特徴とする請求項１に記載のハンドレバー装置。
【請求項３】
前記サブレバー４０は、コイルばね４１によって前記ケーブル１７ａを牽引しない方向に回動されるように付勢されていることを特徴とする請求項１又は２に記載のハンドレバー装置。
【請求項４】
前記サブレバー４０が前記中間ケース２２の嵌合軸部２２ｂに回動可能に枢支される一方、前記コイルばね４１の一端４１ａが前記中間ケース２２に係止され、他端４１ｂが前記サブレバー４０に係止されていることを特徴とする請求項３に記載のハンドレバー装置。
【請求項５】
前記被駆動部材は、内燃機関２のスロットル弁ＣＶであることを特徴とする請求項１から４のいずれか一項に記載のハンドレバー装置。
【発明の詳細な説明】
【０００１】
【産業上の利用分野】
本発明は、ハンドレバー装置に係り、特に、ヘッジトリマーや刈払機等の作業機におけるハンドルのグリップ部近傍に配設されて、内燃機関のスロットル弁等の被駆動部材をケーブルを介して操作するのに好適なハンドレバー装置に関する。
【０００２】
【従来の技術】
例えば、従来から内燃機関により刈刃等の作業部を駆動するようにされているヘッジトリマーや刈払機等の作業機においては、前記内燃機関のスロットル弁を作業者の手元で操作するべく、前記作業機に備えられているＵ形ハンドルやバーハンドル等のグリップ部の近傍に、前記内燃機関のスロットル弁の開度を調節するレバー装置を配設するのが一般的である。
【０００３】
前記レバー装置は、通常、作業者の手指で操作されるスロットルレバーを備えており、該スロットルレバーを回動操作することによりスロットルケーブルを介して前記スロットル弁の開度を調節するようにされている。前記スロットル弁は、常時、最小開度（アイドル回転開度）方向に付勢されており、自然状態ではアイドル回転開度で保持され、前記スロットルケーブルが所定長以上引っ張られたときに、遊びが無くされて前記アイドル回転開度から高速回転側へ開き始めるようにされる。
【０００４】
前記スロットル弁の開度調節用のレバー装置の具体例としては、前記スロットルレバーを回動操作状態から解放したときに、該レバーを自動的に前記スロットル弁と共に元の位置（アイドル回転開度）に戻すようにしたタイプと、手指を離してもスロットルレバーを所望の回動操作位置に常時不動状態で保持するタイプとがある。
【０００５】
そして、前記自動アイドル回転開度復帰タイプのものは、前記スロットルレバーから手指を離せば、アイドリング状態に自動的に戻るが、前記作業機の操作中は、前記スロットルレバーを常時指で保持して所望の回動操作位置に維持しなければならないものである。
即ち、前記自動アイドル回転開度復帰タイプのものは、通常の作業中における操作に手指に強い（重い）保持力を必要とするとの操作性の面で難があることによって、前記の如く安全性が高いとの利点があるにも関わらず、実際に作業機に装備しにくいとの問題点があった。
【０００６】
更に、前記自動アイドル回転開度復帰タイプのものは、スロットル弁の中間開度位置に保持しにくかった。つまり、前記スロットル弁の中間開度位置での保持は、前記スロットルレバーを握っている手指の握持を特定の保持力に保つことによって成されるものであるから、該保持力が少しでも変わると、その変わった量だけ、前記スロットル弁の開度も変更し、その結果として、内燃機関の回転数が変更することとなる。このため、前記スロットルレバーを握っての作業中に、該スロットルレバーを握る手指が疲れる等して、その握持力が弱くなると、即座に前記内燃機関の回転数が変更されてしまい、その作業等に適した所定の出力（回転数）を得ることができにくいとの不具合があつた。
【０００７】
本出願人は、先に、前記問題を解決するべく、不測の事態のための自動復帰機能（アイドル回転開度位置復帰）を備えるとともに、どのような操作位置（スロットル弁の中間開度位置）にも保持できるハンドレバー装置（スロットルレバー）を提案した（特願平７ー１５８２３９号）。
前記提案のハンドレバー装置は、回動操作されるメインレバーと、被駆動部材に連結されたケーブルを回動操作により牽引するサブレバーとを有し、前記メインレバーに制動板体を設け、該制動板体を前記サブレバーに押圧することで、該サブレバーの回動を規制して位置保持する構成となっている。
【０００８】
そして、前記メインレバーが、略Ｌ字型形状をし、その中間部に屈曲部、一側方に制動部材、及び、他側方に握り部を有し、前記屈曲部で回動枢支軸線を中心に保持カバーに回動可能に取付固定されていると共に、前記サブレバーが、略棒状形状をし、基部と指操作部とを有し、前記基部で前記回動枢支軸線と直角な回動枢支軸線を中心に前記保持カバーに回動可能に取付固定される構成となっている。
【０００９】
前記ハンドレバー装置の操作においては、メインレバーの握り部を手指で握って、前記メインレバーを回動させると、前記メインレバーは、該メインレバーの前記制動板体が前記サブレバーの棒状の指操作部の棒状部途中の下面に接触し、前記制動板体の押圧制動力によってサブレバーの移動を阻止する。前記メインレバーを手指で握持した状態で、空いている他の指で前記サブレバーの指操作部の先端を押圧して、前記制動板体の押圧制動力に抗して、前記サブレバーを回動移動させる。該サブレバーの回動移動によって、前記ケーブルが牽引され、該ケーブルが前方に所定長さ引っ張られて、被駆動部材を作動させるものであり、操作の中止を行いたいときは、前記メインレバーの前記指握り部から手指を離して解放することで、前記サブレバーへの押圧制動力を解除して、被駆動部材を非操作状態とするものである。
【００１０】
【発明が解決しようとする課題】
ところで、前記提案のハンドレバー装置は、メインレバーとサブレバーとからなる操作部がハンドルのグリップ部の自由端部に装着する構成となっていると共に、前記メインレバーとサブレバーとの回動枢支軸線が直角となっており、両レバーの操作の方向が異なる配置となっている等複雑な構成となっているので、操作がしずらいと共に、前記ケーブルをサブレバーに装着するために、前記グリップ部内を介して屈曲して導く等前記ケーブルの配備構成が複雑となり、その操作にも不具合が生じる等の問題がある。
【００１１】
また、前記メインレバーと前記サブレバーとは、前記グリップ部と一体になってハンドルに装着する構成となっているので、前記ハンドルへの組み付け、あるいは、その後の保守整備が面倒であると共に、前記グリップ部が全体として大きくなり、重量も重くなってしまうとの問題点がある。
更に、サブレバーは、メインレバーの制動板体によって、摩擦で前記サブレバーの指操作部の中間側部を保持する機構構成となっているが、該保持機構では、メインレバーを強く握持しなければ、十分な摩擦保持ができ難いとの問題点があった。
【００１２】
本発明は、このような問題に鑑みてなされたものであって、その目的とするところは、ハンドレバー装置の全体の形状をコンパクトに小形軽量化し、装置の組立を容易にすると共に、安価で、保守整備が容易で、かつ、操作性の良い装置を提供することにある。
【００１３】
【課題を解決するための手段】
前記目的を達成すべく、本発明に係るハンドレバー装置は、回動操作されるメインレバーと、被駆動部材に連結されたケーブルを回動操作により牽引するサブレバーとをハンドルへの取付用ケース部材内に保持し、前記メインレバーは、制動摩擦体を備えると共に、前記サブレバーは、扇形摩擦部を備え、前記制動摩擦体を前記扇形摩擦部の周端部に押圧することで、前記サブレバーの回動を規制して位置保持し、前記ケース部材が、右側カバーケース、中間ケース、及び、左側カバーケースから成る着脱可能な三分割構造であり、前記左側カバーケースと前記中間ケースとの間に前記メインレバーと前記サブレバーとを回動可能に保持し、前記右側カバーケースと前記中間ケースとの間にハンドルを挟持固定することを特徴としている。
【００１４】
また、本発明のハンドレバー装置の好ましい態様としては、前記サブレバーが中間ケースの嵌合軸部に回動可能に枢支されて前記メインレバーと前記サブレバーとが同一方向に回動操作される一方、コイルばねの一端が前記中間ケースに係止され、他端が前記サブレバーに係止され、前記サブレバーが前記コイルばねによって前記ケーブルを牽引しない方向に回動されるように付勢されていることを特徴としている。
【００１５】
前述の如く構成された本発明に係るハンドレバー装置は、メインレバーの前記握り部を手指で握って、前記メインレバーを回動させると、該メインレバーの制動摩擦体がサブレバーの扇形摩擦部の円周端面に接触し、前記制動摩擦体によって、サブレバーの回動移動を阻止する状態とする。
【００１６】
前記状態、即ち、前記メインレバーを手指で握持した状態で、空いている小指等で前記サブレバーの操作部を押圧して、前記制動摩擦体の押圧制動力に抗してサブレバーを回動移動させる。該サブレバーの回動移動によって、前記スロットルケーブルが牽引され、前記ケーブルが一方に所定長さ引っ張られて、前記被駆動部材を作動させる。前記サブレバーの回動移動過程で、前記操作部の先端への小指等による押圧力を解除しても、前記サブレバーは、前記メインレバーの前記制動摩擦体で押圧制動されているので、その操作部への小指等による押圧力を解除した位置に保持され、前記被駆動部材が所望の作動位置に保持される。
【００１７】
ここで、不測の事態が生じる等して、直ちに、操作を中止を行いたいときは、前記メインレバーの前記握り部から手指を離して解放する。この解放操作によって、前記メインレバーの前記制動摩擦体が移動して前記扇形摩擦部の円周端面から離れ、前記サブレバーへの押圧制動力を解除する。該解除によって、直ちに、前記サブレバーは、前記コイルばね等の付勢力で非操作方向に回動し、前記ケーブルの牽引力を弱めるので、前記被駆動部材は非操作状態に戻る。
【００１８】
このように、メインレバーを握った状態で、サブレバーを回動操作することで、前記被駆動部材のケーブルの適宜牽引位置を設定保持することができる。
また、サブレバーの回動位置保持を、該サブレバーの扇形摩擦部の円周端面とメインレバーの制動摩擦体との押圧摩擦接触で行うので、確実に、かつ容易に摩擦保持できると共に、前記メインレバーの操作移動量と押圧負荷荷重を極めて少なくすることができる。
【００１９】
更に、ケース部材を右側カバーケース、中間ケース、及び、左側カバーケースから成る着脱可能な三分割構造としたので、構造部品を少なくし、ハンドルへの組み付けと離脱とが容易であると共に、小型化することができる。
【００２０】
【発明の実施の形態】
以下、図面により本発明のハンドレバー装置の一実施形態について説明する。図１は、本実施形態のハンドレバー装置１０を装備した刈払機１の一例を示しており、該刈払機１は、所定間隔を置いて右側グリップ部１１と左側グリップ１２とを並置したＵ型ハンドル７を備え、該Ｕ型ハンドル７を支持する操作捍８の先端側には、刈刃１３や安全カバー１４等からなる作業部３を備え、後端側には、前記刈刃１３を前記操作捍８に内挿されたドライブシャフト８ａを介して駆動する動力源としての内燃機関（小型空冷２サイクルガソリンエンジン）２が配備されており、該内燃機関２には、リコイルスターター６や燃料タンク４が付設されると共に、被駆動部材としてのスロットル弁ＣＶを有する気化器や点火プラグ５が備えられている。
【００２１】
本実施形態においては、前記気化器の前記スロットル弁ＣＶは、常時最小（アイドル回転）開度方向に付勢されており、該スロットル弁ＣＶに接続されているボーデンケーブル１７内のスロットルケーブル１７ａ（後述）が非操作状態から所定長さ以上に引っ張られて遊びが無くなった状態で、前記最小（アイドル回転）開度から開き始めるように構成されている。
【００２２】
そして、前記一対のグリップ１１、１２の内、通常は、右手で握る図１の右側のグリップ部１１に、前記スロットル弁ＣＶの開度を調節するための本実施形態のハンドレバー装置１０が配設されている。
図２〜図４は、本実施形態の前記ハンドレバー装置１０を示すものであり、図２は図１の矢印II方向から見た左側面図、図３は図１の矢印III方向から見た前面図、及び、図４は図１の矢印IV方向から見た下面図である。
【００２３】
前記ハンドレバー装置１０は、図２にその外観が示されているように、前記Ｕ型ハンドル７の右側グリップ１１の下部近傍に外装固定されたケース部材２０、メインレバー３０、及び、サブレバー４０を有し、前記ケース部材２０は、前記スロットル弁ＣＶに連結されたボーデンケーブル１７内に挿通された前記スロットルケーブル１７ａを引っ張る前記サブレバー４０を回動可能に保持すると共に、メインレバー３０も回動可能に保持している。
【００２４】
前記ケース部材２０は、図４から理解されるように、合成樹脂製の右側カバーケース２１、中間ケース２２、及び、左側カバーケース２３から成る着脱可能な三分割構造となっている。
前記右側カバーケース２１と前記左側カバーケース２３とは、それぞれ概略角皿状の外観をしており、前記両カバーケース２１、２３の間に前記中間ケース２２を介在挟持しており、前記右側カバーケース２１と前記中間ケース２２との接合面に形成された半円形凹状断面の対接面部２１ａ、２２ａは、前記Ｕ型ハンドル７の外周面に対接されて、前記右側カバーケース２１と前記中間ケース２２が前記Ｕ型ハンドル７を挟むように外嵌固定される。
【００２５】
図５に示されているように、前記中間ケース２２の前記対接面部２２ａには係止凸部２２ｂが設けられ、該係止凸部２２ｂは、前記Ｕ型ハンドル７に設けられた厚み方向に貫通していない円形の凹部７ａに嵌合するようになっており、該嵌合によって前記ケース部材２０の前記Ｕ型ハンドル７に対する回動を阻止している。
【００２６】
前記右側カバーケース２１と前記中間ケース２２とは、前記左側カバーケース２３側から前記中間ケース２２内に不回動状態で配置された六角ナット２５、２５に螺合される丸頭ビス２６、２６によって締め付け固定される一方、前記中間ケース２２と左側カバーケース２３とは、該両ケース２２、２３の間に前記メインレバー３０とサブレバー４０とを回動可能に挟持した状態で、前記右側カバーケース２１側から前記中間ケース２２内に不回動状態で配置された六角ナット２７、２７に螺合される丸頭ビス２８、２９によって締め付け固定され、前記三分割ケース２１、２２、２３の前記両固定によって、前記ハンドレバー装置１０が前記Ｕ型ハンドル７に固定される。
【００２７】
前記ケース部材２０に回動可能に保持される前記メインレバー３０は、前記右側グリップ部１１の前面に近接するように手指で回動操作される握り部３０ａと、レバー回動支持軸３１に緩く外嵌された取付部３０ｂとを備えている。前記レバー回動支持軸３１は、その左端部が前記左側カバーケース２３の前側下部付近に形成された挿入穴２３ａに挿入されると共に、右端部は前記中間ケース２２の挿入穴（図示省略）に圧入されている。また、前記メインレバー３０の前記取付部３０ｂの近傍のサブレバー４０側の面には、ゴム材ブロック等の位置保持用摩擦体３０ｃが圧入状に埋め込まれている。
【００２８】
更に、前記メインレバー３０の前記取付部３０ｂの下端部には、前記メインレバー３０が必要以上に前方に回動しないように、その回動位置を規制する位置規制突起部３０ｄを形成し、前記メインレバー３０が所定量前方に回動したら前記中間ケース２２の前方下部に形成した突起係止部２２ｅに係止するようになっている。また、前記メインレバー３０の前記位置保持用摩擦体３０ｃ側近傍の前記取付部３０ｂと前記中間ケース２２との間に、圧縮コイルスプリング等の弱い付勢のばね（図示省略）を介在させて、前記メイインレバー３０を前方に回動するように常時付勢して置き、該メインレバー３０の非作動時のがたつきを防止する構造とすることもできる。
【００２９】
一方、前記サブレバー４０は、前記中間ケース２２の左側面から突出する嵌合軸部２２ｃに回動可能に枢支されており、前記右側グリップ部１１の左側に近接して小指等で回動操作される指操作部４０ａと、前記中間ケース２２の嵌合軸部２２ｃに嵌合する枢支取付部４０ｂとを備えており、該枢支取付部４０ｂは、前記メインレバー３０の前記位置保持摩擦体３０ｃに面する側に扇形摩擦部４０ｃを備えている。前記中間ケース２２の前記嵌合軸部２２ｃの基部を構成する該嵌合軸部２２ｃより径の大きいばね用軸部２２ｄには、コイルばね４１か緩く巻き付けられ、該コイルばね４１の一端４１ａが前記中間ケース２２に係止されていると共に、他端４１ｂが前記サブレバー４０の前記枢支取付部４０ｂに係止されていることで、前記コイルばね４１によって前記サブレバー４０を前記スロットル弁ＣＶが最小開度（アイドル開度）となる方向に回動するように付勢している。前記サブレバー４０の扇形摩擦部４０ｃには、前記スロットルケーブル１７ａを巻き付け案内する案内溝４０ｄが形成されていると共に、前記スロットルケーブル１７ａの端金具１７ｂが係止されるケーブル係止部４０ｅを備え、前記端金具１７ｂを嵌め込み係止している。前記サブレバー４０の指操作部４０ａを小指等で操作して前記サブレバー４０を図２における時計回りに回動させると、前記スロットルケーブル１７ａが牽引され、前記スロットル弁ＣＶが開度を開く方向に作動する。
【００３０】
また、前記右側グリップ１１の自由端１１ａには、前記内燃機関２の点火プラグ５への電気回路を短絡して前記内燃機関２を停止させるための押しボタン式停止スイッチ１８が配置固定されている。
次に、前記の如く構成された本実施形態のハンドレバー装置１０の作動について説明する。
【００３１】
前記メインレバー３０とサブレバー４０とが、図２、図５の非作動状態にあるとき、前記内燃機関２が始動されると、該内燃機関２がアイドル状態での運転、即ち、前記内燃機関２の前記スロットル弁ＣＶが最小開度（アイドル回転開度）で運転を開始する。その後、前記ハンドレバー装置１０の前記メインレバー３０の前記握り部３０ａを手指で握って、前記メインレバー３０を前記レバー回動支持軸３１を枢支点として時計方向（作動状態）に回動させる。該回動操作によって、前記メインレバー３０の前記制動摩擦体３０ｃが前記サブレバー４０の扇形摩擦部４０ｃの前記嵌合軸部２２ｃを中心とする円周端面４０ｃ1に接触し、前記制動摩擦体３０ｃによって、サブレバー４０の回動移動を規制する状態となる。前記状態は、前記サブレバー４０をまだ回動移動していない状態であるので、前記内燃機関２はその運転状態が変わらないアイドル状態で運転している。
【００３２】
前記状態、即ち、前記メインレバー３０を手指で握持した状態で、空いている小指等で前記サブレバー４０の指操作部４０ａを押圧して、図２の時計回り方向（作動方向）に、前記サブレバー４０を前記制動摩擦体３０ｃの押圧制動力に抗して回動移動させる。前記サブレバー４０の回動移動によって、前記スロットルケーブル１７ａが牽引され、該スロットルケーブル１７ａが上方に所定長さ引っ張られて、前記内燃機関２の前記スロットル弁ＣＶを最小開度（アイドル回転開度）から開く方向に作動する。前記サブレバー４０の回動移動過程で、前記指操作部４０ａの指による押圧力を解除しても、前記サブレバー４０は、前記メインレバー３０の前記制動摩擦体３０ｃで押圧制動されているので、その指操作部４０ａの押圧力を解除した位置に保持され、前記スロットル弁ＣＶの開度を適宜開度の状態に保持させる。
【００３３】
前記サブレバー４０を更に回動移動させ、最高限度まで回動させると、前記スロットルケーブル１７ａは、更に牽引され、前記内燃機関２の前記スロットル弁ＣＶを最高開度とした状態、即ち、前記内燃機関２が最高出力を出す状態となる。この状態で、刈払い等の作業が最高出力で行われる。
【００３４】
ここで、通常の作業の中止、あるいは、不測の事態が生じる等して、直ちに前記内燃機関２の回転数を大幅に低下（アイドル運転）させたいときは、前記メインレバー３０の前記握り部３０ａから手指を離して解放する。この解放操作によって、前記メインレバー３０は、図２の状態に自動的に回動移動し、前記メインレバー３０の前記制動摩擦体３０ｃが前記扇形摩擦部４０ｃの円周端面４０ｃ1から移動して離れ、前記サブレバー４０への押圧制動力を解除する。該解除によって、直ちに、前記サブレバー４０は、前記コイルばね４１の復帰付勢力によって図２の反時計回り方向（非作動状態）に回動移動するので、前記スロットルケーブル１７ａの牽引力を解除し、前記スロットル弁ＣＶが前記最小開度に戻り、前記内燃機関２はアイドル回転状態となる。
【００３５】
本実施形態の刈払機１では、内燃機関２の回転駆動力を図示しない遠心クラッチを介して刈刃１３等からなる作業部３に伝達されているので、回転数が低下すると前記遠心クラッチが自動的に遮断状態になって前記作業部３への動力伝達が絶たれるので、刈刃１３等の作業部３が直ちに駆動を停止せしめられる。
【００３６】
以上、本発明の一実施形態について詳述したが、本発明は、前記実施形態に限定されるものではなく、設計において、特許請求の範囲に記載された本発明の精神を逸脱することなしに種々の変更を行うことができる。
例えば、前記実施形態においては、ハンドレバー装置を作業機の内燃機関のスロットル弁の開度調節用として説明しているが、本発明のハンドレバー装置は、前記実施形態に限定されるものではなく、ハンドル部を備えた他の機器の操作レバーとして広く利用できることはいうまでもない。
【００３７】
【発明の効果】
以上の説明から理解できるように、本発明のハンドレバー装置は、メインレバーとサブレバーとを備え、被駆動部材としてのケーブルを牽引操作する前記サブレバーの回動移動の位置保持を前記メインレバーの握り操作で行うべく構成したので、メインレバーを握った状態でサブレバーを回動操作することで、前記被操作体としてのケーブルの適宜牽引位置を保持設定をすることができ、かつ、前記メインレバーの握りを解除することで、前記サブレバーを非作動状態に、直ちに自動的に復帰させることができる。
【００３８】
また、前記サブレバーの回動位置保持を、該サブレバーの扇形摩擦部の円周端面と前記メインレバーの制動摩擦体との摩擦接触により行うこととしたので、確実に、かつ容易に保持できると共に、前記メインレバーの操作移動量を極めて少なくすることができる。
【００３９】
更に、ケース部材を右側カバーケース、中間ケース、及び、左側カバーケースから成る着脱可能な三分割構造としたので、構造部品が少なく、ハンドルへの組み付け・離脱が容易であると共に、小型化することができる。
【００４０】
更にまた、前記ハンドレバー装置を内燃機関のスロットル弁を開度するための操作機構として用いた場合は、前記メインレバーから手を離すことによって、即座に、スロットル弁の最小開度（アイドル回転）位置に戻すことができるので高い安全性を確保することができる。
【図面の簡単な説明】
【図１】本発明に係るハンドレバー装置の一実施例が採用された刈払機の一例を示す斜視図。
【図２】図１のハンドレバー装置の矢印IIから見た（非操作時）左側面図。
【図３】図１のハンドレバー装置の矢印IIIから見た前面図。
【図４】図１のハンドルレバー装置の矢印IVから見た下面図。
【図５】図２のハンドレバー装置のＶ−Ｖ矢視断面図。
【図６】図２のハンドレバー装置から左側カバーケースを取り除いた拡大図。
【符号の説明】
２    内燃機関
７    ハンドル
１０    ハンドレバー装置
１７ａ  ケーブル（スロットル）
２０    ケース部材
２１    右側カバーケース
２２    中間ケース
２２ｂ  嵌合軸部
２３    左側カバーケース
３０    メインレバー
３０ａ  握り部
３０ｃ  制動摩擦体
４０    サブレバー
４０ｃ  扇形摩擦部
４０ｃ1 周端部
４１    コイルばね
４１ａ  一端
４１ｂ  他端
ＣＶ    被駆動部材（スロットル弁）
【図１】
0003883616.tif 000002
【図２】
0003883616.tif 000003
【図３】
0003883616.tif 000004
【図４】
0003883616.tif 000005
【図５】
0003883616.tif 000006
【図６】
0003883616.tif 000007